(57)【要約】【課題】  ＤＰインタフェース規格を基本とした画像信号伝送方式において、メインリンクのロックが外れて画像データを受け取ることができない状況から迅速に復帰する。【解決手段】  画像表示制御部１のソースデバイス機能部１１は、メインリンクＭＬを介して、画像信号ＩＤを伝送するに際して、毎フレーム、ビデオ信号フォーマットＶＳＦのブランキング期間ＢＫにトレーニングパターンＴＰを埋め込んで、表示機器２側に送信する。表示機器２のシンクデバイス機能部２１側は、必要なときのみ、すなわち、ノイズ等によりメインリンクＭＬのアンロック状態に陥ったときのみ、そのトレーニングパターンＴＰを利用してリンクトレーニングを行う。トレーニングパターンＴＰを埋め込む箇所は、ブランキング期間ＢＫのどこでも構わないが途切れる可能性なく送受信が可能となるという意味において、垂直同期信号ＶＳＹＮＣ期間に埋め込むことが好適である。【選択図】  図１
2015195535.tif 000002
【特許請求の範囲】
【請求項１】
ソースデバイスとシンクデバイスの間のDisplayPortインタフェース規格におけるリンクトレーニングの方式を改良した方式を含む画像データ伝送制御方法であって、
前記ソースデバイスは、メインリンクを介して伝送する画像データの毎フレームごとに、前記画像データが含まれるビデオ信号フォーマット内のブランキング期間に前記リンクトレーニングに係るトレーニングパターンを埋め込み、
前記シンクデバイスは、前記メインリンクのアンロック状態に陥ると、前記トレーニングパターンを取り入れて前記リンクトレーニングを行い、前記アンロック状態から復帰することを特徴とする画像データ伝送制御方法。
【請求項２】
前記ソースデバイスは、前記トレーニングパターンを、前記ブランキング期間における垂直同期信号期間に埋め込むことを特徴とする請求項１に記載の画像データ伝送制御方法。
【請求項３】
前記シンクデバイスは、前記アンロック状態から復帰できたこと、前記ソースデバイスに通知しないことを特徴とする請求項１に記載の画像データ伝送制御方法。
【請求項４】
前記ソースデバイスは、機能として画像表示制御部に含まれ、前記シンクデバイスは、機能として、表示デバイスを含む表示機器に含まれることを特徴とする請求項１乃至３のいずれかに記載の画像データ伝送制御方法。
【請求項５】
前記DisplayPortインタフェース規格は、embedded DisplayPortインタフェース規格であり、前記ソースデバイス及び前記シンクデバイスは、表示デバイスを備えた画像表示処理装置に含まれることを特徴とする請求項１乃至３のいずれかに記載の画像データ伝送制御方法。
【請求項６】
表示デバイスを含む表示機器と、
前記画像デバイスに表示するための画像のデータを構成し、前記表示機器との間で、DisplayPortインタフェース規格を改良したインタフェース規格に基づいてやりとりをしつつ、前記画像の表示を制御する画像表示制御部と、
を備える画像表示処理装置であって、
前記画像表示制御部は、メインリンクを介して伝送する画像データの毎フレームごとに、前記画像データが含まれるビデオ信号フォーマット内のブランキング期間にリンクトレーニングに係るトレーニングパターンを埋め込み、
前記表示機器は、前記メインリンクのアンロック状態に陥ると、前記トレーニングパターンを取り入れて前記リンクトレーニングを行い、前記アンロック状態から復帰することを特徴とする画像表示処理装置。
【請求項７】
前記表示機器と前記画像表示制御部とは装置内部インタフェースで接続された内部機器であり、前記DisplayPortインタフェース規格は、embedded DisplayPortインタフェース規格であることを特徴とする請求項６に記載の画像表示処理装置。
【請求項８】
遊技機に搭載されることを特徴とする請求項７に記載の画像表示処理装置。
【請求項９】
前記遊技機はパチンコ機であることを特徴とする請求項８に記載の画像表示処理装置。
【発明の詳細な説明】
【技術分野】
【０００１】
本発明は、画像データ伝送制御方法及び画像表示処理装置に関し、特に、DisplayPortインタフェース規格におけるソースデバイスとシンクデバイスの間のリンクトレーニングの方式を改良した画像データ伝送制御方法及び画像表示処理装置に関する。
【背景技術】
【０００２】
画像データ出力機器と表示機器との間の外部ビデオインタフェースとしては、アナログ外部インタフェースとしてのＶＧＡ（Video Graphics Array）規格から始まり、主としてパーソナルコンピュータと表示機器の間のインタフェースとして発展してきたアナログデジタル双方用のＤＶＩ（Digital Visual Interface）規格や、主としてＡＶ機器を対象として開発されたＨＤＭＩ（High-Definition Multimedia Interface）（登録商標）規格等がある。また、表示機器（デバイス）が画像データ処理装置に組み込まれている場合の内部ビデオインタフェースとしては、ＬＶＤＳ（Low Voltage Differential Signaling）規格が主流となっていた。
【０００３】
加えて、最近では、外部クロックを用いず、内蔵クロックを利用したマイクロパケットとしてシリアル転送するビデオインタフェースであるDisplayPort（以下、「ＤＰ」と称す）規格が普及してきている。このインタフェース規格によれば、データからクロックを生成しているので、データ転送が高速であり、機能拡張が容易であるという利点がある。また、ＨＤＭＩインタフェースと同様、音声も同時に転送できるものである。更に、そのＤＰ規格を、内部インタフェースとして規定したものが、embedded ＤＰ（以下、「ｅＤＰ」と称す）である。
【０００４】
図３（ａ）は、ＤＰインタフェース規格の概要を説明するための図である。同図に示すように、ＤＰインタフェース規格においては、画像データ出力側としての論理デバイスたるソースデバイス１００と、表示機器側の論理デバイスたるシンクデバイス２００との間を、画像信号の伝送路たるメインリンクＭＬと、補助（ＡＵＸ）チャネルＡＣ及びホットプラグ検知（Hot Plug Detect）ＨＰＤという２本のサブチャネルとで論理的に接続している。ここで、例えばＤＰ v1.1a の規格においては、メインリンクＭＬを介した画像／音声データの伝送は、レーンと呼ばれるチャネルの１本／２本／４本を選択構成でき、また各レーンの帯域幅は2.7Gbps又は1.62Gbpsで選択可能であるので、最大帯域幅は10.8Gbpsとなる。また、逆に、シンクデバイス２００側の解像度等に応じて、必要なレース数を限定できることにもなる。
【０００５】
ここで、ホットプラグ検知ＨＰＤは、初期的にシンクデバイス２００側の電源投入に伴ってそれをソースデバイス１００側に通知するため信号線であると共に、加えて、伝送途中で何らかの理由によりソースデバイス１００とシンクデバイス２００との間のリンク状態がダウンした場合等に、シンクデバイス２００側から再リンク（後述のリンクトレーニング）を要求するための信号線である。また、ＡＵＸチャネルＡＣは、低速双方向のサイドチャネルであり、後述のリンクトレーニングによるリンクのセットアップ及びその管理、ステータス及びコンフィギュレーションの制御、メインリンクの動作サポート等のためのものである。
【０００６】
そこで、ＤＰインタフェース規格においては、シンクデバイス２００側の電源投入等の初期動作により、ホットプラグ検知ＨＰＤの信号がアクティブとなり、それをソースデバイス１００側が検知することにより、以降、メインリンクＭＬを介して、ソースデバイス１００側からシンクデバイス２００側へ画像信号を伝送するための条件を決定するためのリンクトレーニングが行われる。具体的には、当該リンクトレーニングにおいては、ＡＵＸチャネルＡＣを介したソースデバイス１００とシンクデバイス２００との間のネゴシエーションの期間に、ソースデバイス１００が、メインリンクＭＬを介してシンクデバイス２００に条件別の複数のトレーニングパターンを送信することにより行われ、最終的に、メインリンクＭＬを介した画像信号の伝送形式、すなわち、使用すべきレーン数、１レーン当たりのデータ転送レート、画像信号の振幅等、が決定される。
【０００７】
ところで、ソースデバイス１００とシンクデバイス２００との間のメインリンクＭＬのリンク確立後、画像信号伝送過程において、動作環境に起因したノイズ等の影響により、メインリンクＭＬのロックが外れる、いわゆるアンロック（又はリンクダウンとも称す）という状態に陥ることがある。このとき、一時的に、ブラックアウト（暗転）の状態となる。このアンロックの状態は、簡単には、ソースデバイス１００からシンクデバイス２００へ画像信号は送られているものの、シンクデバイス２００がそれを受け取れない状態である。詳細には、シンクデバイス２００が、画像信号を正常に受け取れるためには、メインリンクＭＬ上でのアナログ信号としての画像信号を一旦シリアルのデジタル信号に変換して更にパラレルのデジタル信号に変換する必要があるが、アンロックの状態というのは、アナログ信号からシリアルデジタル信号への変換に必要な同期がとれない状態と、シリアル信号からパラレル信号への同期がとれない状態の一方又は両方に陥っている状態である。
【０００８】
このアンロックの状態に陥った場合にも、前述のリンクトレーニングを行うことにより再リンクを確立する必要がある。すなわち、このアンロックの状態に陥った場合も、シンクデバイス２００は、ホットプラグ検知ＨＰＤの信号線をアクティブにして、ソースデバイス１００側にその事実を通知する。
【０００９】
このアンロックに伴う再リンクトレーニングが行われる手順に主に着目した、ソースデバイス１００側及びシンクデバイス２００側の両者の相互関連手順を図３（ｂ）に示す。同図を参照して、初期的に両者の間でリンクトレーニング（ステップＳ１１、ステップＳ２１）が終了すると、メインリンクＭＬを介して、ソースデバイス１００は画像信号の送信を開始し（ステップＳ１２）、シンクデバイス２００は当該画像信号を受信するが（ステップＳ２２）、前述のような理由よりアンロックの状態に陥ると（ステップＳ２３）、シンクデバイス２００はホットプラグ検知ＨＰＤをアクティブにし（ステップＳ２４）、それをソースデバイス１００が検知すると、両者の間で、再リンクトレーニングが行われる（ステップＳ１１、ステップＳ２１）。そこで、アンロックに陥った場合の従来の再リンクトレーニングは、以下のような手順で行われていた。  
１．シンクデバイス２００は、上述のようにホットプラグ検知ＨＰＤをアクティブにし、ソースデバイス１００からのトレーニングパターンの待ち状態となる。  
２．ソースデバイス１００は、ホットプラグ検知ＨＰＤのアクティブ状態を検知すると、画像データの送信を中止し、代わりにメインリンクＭＬを介して、クロック・リカバリ用のトレーニングパターンを送信する。クロック・リカバリとは、前述のアナログ信号の画像信号をシリアルデジタル信号に変換するのに必要な同期が回復されることである。  
３．シンクデバイス２００が、ＡＵＸチャネルＡＣを介して、クロック・リカバリが成功したことを通知し、ソースデバイス１００がそれを確認する。  
４．次に、ソースデバイス１００は、シンボルロック用のトレーニングパターンを送信する。このシンボルロックとは、前述のシリアル信号からパラレル信号に変換できるような同期が確立されている状態をいう。  
５．シンクデバイス２００が、ＡＵＸチャネルＡＣを介して、シンボルロックが成功したことを通知し、ソースデバイス１００がそれを確認する。
【００１０】
次に、上述のステップＳ１２においてソースデバイス１００から伝送される画像データを含むビデオ信号のフォーマットＶＳＦを、図４に示す。同図に示すように、ソースデバイス１００から伝送されるビデオ信号には、画像データＩＤ以外に、ＭＳＡ（Main Stream Attribute）等の画像属性データＡＤが含まれており、残りは、水平同期信号ＨＳＹＮＣや垂直同期信号ＶＳＹＮＣ等に供されるブランキング期間ＢＫとなっている。
【００１１】
かかるＤＰインタフェース規格を前提とした技術が、特許文献１に開示されている（段落［００１３］〜［００１４］、［００３７］〜［００３８］、請求項３及び３０、並びに図２Ａ、図２Ｂ、及び図１１）。
【先行技術文献】
【特許文献】
【００１２】
【特許文献１】特開２００５−５０３０４号公報
【発明の概要】
【発明が解決しようとする課題】
【００１３】
上述のように、現存のＤＰインタフェース規格においては、メインリンクＭＬがアンロックの状態に陥るたびに、ＡＵＸチャネルＡＣを介して、リンクトレーニングを再度行う構成となっている。この方式においては、ＡＵＸチャネルＡＣは比較的低速であるため、リンクトレーニングに比較的時間を要するという欠点がある。特に、前述のようにこのリンクトレーニングの期間は暗転の期間に相当するので、リンクトレーニングの期間が長ければ長いほど暗転時間は長くなり、画像の表示の実効性に影響を及ぼすこととなる。特に、ノイズの多い環境で動作される機器（例えば、パチンコ機やパチスロ機等の遊技機）においては暗転の頻度が多くなりがちであるが、暗転期間が長いと、表示の有効性（遊技機においては遊興性）に大きな影響を与えかねない。従って、暗転期間に相当するリンクトレーニングは短時間で完了することが望ましい。
【００１４】
本発明は上述のような事情から為されたものであり、本発明の目的は、ＤＰインタフェース規格を基本とした画像信号伝送方式において、メインリンクのロックが外れて画像データを受け取ることができない状況から迅速に復帰することができる画像データ伝送制御方法及び画像表示処理装置を提供することにある。
【課題を解決するための手段】
【００１５】
上記目的を達成するため、本発明の画像データ伝送制御方法は、ソースデバイスとシンクデバイスの間のDisplayPortインタフェース規格におけるリンクトレーニングの方式を改良した方式を含む画像データ伝送制御方法であって、前記ソースデバイスは、メインリンクを介して伝送する画像データの毎フレームごとに、前記画像データが含まれるビデオ信号フォーマット内のブランキング期間に前記リンクトレーニングに係るトレーニングパターンを埋め込み、前記シンクデバイスは、前記メインリンクのアンロック状態に陥ると、前記トレーニングパターンを取り入れて前記リンクトレーニングを行い、前記アンロック状態から復帰することを要旨とする。
【００１６】
特に、前記ソースデバイスは、前記トレーニングパターンを、前記ブランキング期間における垂直同期信号期間に埋め込むことが好適である。
【００１７】
また、前記シンクデバイスは、前記アンロック状態から復帰できたこと、前記ソースデバイスに通知しないことが特徴である。
【００１８】
典型的には、前記ソースデバイスは、機能として画像表示制御部に含まれ、前記シンクデバイスは、機能として、表示デバイスを含む表示機器に含まれる。
【００１９】
あるいは、前記DisplayPortインタフェース規格は、embedded DisplayPortインタフェース規格であり、前記ソースデバイス及び前記シンクデバイスは、表示デバイスを備えた画像表示処理装置に含まれる。
【００２０】
また、上記目的を達成するため、本発明の画像表示処理装置は、表示デバイスを含む表示機器と、前記画像デバイスに表示するための画像のデータを構成し、前記表示機器との間で、DisplayPortインタフェース規格を改良したインタフェース規格に基づいてやりとりをしつつ、前記画像の表示を制御する画像表示制御部と、を備える画像表示処理装置であって、前記画像表示制御部は、メインリンクを介して伝送する画像データの毎フレームごとに、前記画像データが含まれるビデオ信号フォーマット内のブランキング期間にリンクトレーニングに係るトレーニングパターンを埋め込み、前記表示機器は、前記メインリンクのアンロック状態に陥ると、前記トレーニングパターンを取り入れて前記リンクトレーニングを行い、前記アンロック状態から復帰することを要旨とする。
【００２１】
典型的には、前記表示機器と前記画像表示制御部とは装置内部インタフェースで接続された内部機器であり、前記DisplayPortインタフェース規格は、embedded DisplayPortインタフェース規格である。
【００２２】
当該画像表示処理装置は、例えば遊技機に搭載され、代表的なものとしてはパチンコ機である。
【発明の効果】
【００２３】
本発明の画像データ伝送制御方法及び画像表示処理装置によれば、メインリンクを介して、画像信号を伝送するに際して、毎フレーム、ビデオ信号フォーマットのブランキング期間にトレーニングパターンを埋め込んで送信しているので、メインリンクのアンロックが発生しても、シンクデバイス又は表示機器は、ソースデバイス又は画像表示制御部側にその事実を通知することなく、即座に自律的にリンクトレーニングを実行することができ、アンロック状態から迅速に復帰することができる。ここで、前記トレーニングパターンを、前記ブランキング期間における垂直同期信号期間に埋め込んだ場合には、十分なリンクトレーニング期間を確保できるという利点がある。また、シンクデバイスは、アンロック状態から復帰できたこと、ソースデバイスに通知しないようにすれば、手順が簡易となるとともに、従来通知のために必要であった信号線が不要となる可能性がある。
【図面の簡単な説明】
【００２４】
【図１】本発明の画像データ伝送制御方法及び画像表示処理装置における一実施形態を説明するための図であり、同図（ａ）は、一実施形態に係る画像表示処理装置の構成を示す図であり、同図（ｂ）は、メインリンクを介して伝送される、本発明に係るビデオ信号のフォーマットを示す図である。
【図２】あるフレーム画像信号の伝送途中に、ノイズによりアンロックが生じた場合を説明するための図である。
【図３】現行のＤＰインタフェース規格を説明するための図である。
【図４】現行のＤＰインタフェース規格におけるビデオ信号フォーマットを示す図である。
【発明を実施するための形態】
【００２５】
以下、図面を参照して、本発明の実施の形態について詳細に説明する。  
図１は、本発明の画像データ伝送制御方法及び画像表示処理装置における一実施形態を説明するための図であり、同図（ａ）は、一実施形態に係る画像表示処理装置の構成を示す図であり、同図（ｂ）は、メインリンクを介して伝送される、本発明に係るビデオ信号のフォーマットを示す図である。
【００２６】
図１（ａ）を参照して、パーソナルコンピュータや特定用途の画像表示処理装置に内蔵される、グラフィックコントローラとも称される画像表示制御部１は、少なくともソースデバイス機能部１１を備えている。なお、画像表示制御部１には、ソースデバイス機能部１１を制御する制御部等も含まれているがここでは省略する。一方、表示機器２は、少なくともシンクデバイス機能部２１と、液晶表示デバイス等の表示デバイス２２とを備えている。画像表示制御部１と表示機器２との間は、ＤＰインタフェースを基本としたインタフェースであり、ソースデバイス機能部１１及びシンクデバイス機能部２１でその機能を担っている。但し、リンクトレーニング以外の、従来、ＡＵＸチャネルＡＣを介して行われていた処理を行う必要がないのであれば、同図に点線で示すようにその信号線は不要となる。なお、内部インタフェースであってもよい。すなわち、ｅＤＰインタフェースを基本にしたインタフェースであってもよい。この場合、ソースデバイス機能部及びシンクデバイス機能部は、表示デバイスを備えた単独の画像表示制御装置又は画像表示装置に組み込まれたものとなる。
【００２７】
そこで、本発明の画像データ伝送制御方法及び画像表示処理装置における一実施形態においては、画像表示制御部１のソースデバイス機能部１１は、メインリンクＭＬを介して、画像信号ＩＤを伝送するに際して、図１（ｂ）に示すように、毎フレーム、ビデオ信号フォーマットＶＳＦのブランキング期間ＢＫにクロック・リカバリ用及びシンボルロック用のトレーニングパターンＴＰを埋め込んで、表示機器２側に送信する。なお、トレーニングパターンＴＰを埋め込む箇所は、ブランキング期間ＢＫのどこでも構わないが途切れる可能性なく十分な期間送信が可能となるという意味において、垂直同期信号ＶＳＹＮＣ期間に埋め込むことが好適である。いずれにしても、ソースデバイス機能部１１及びシンクデバイス機能部２１が、埋設箇所を相互に認識していればよい。
【００２８】
そこで、画像表示制御部１のソースデバイス機能部１１は、毎フレーム、必ずクロック・リカバリ用及びシンボルロック用のトレーニングパターンＴＰをビデオ信号フォーマットＶＳＦに埋め込んで伝送するが、表示機器２のシンクデバイス機能部２１側は、必要なときのみ、すなわち、ノイズ等によりメインリンクＭＬのアンロック状態に陥ったときのみ、そのトレーニングパターンＴＰを利用して再リンクトレーニングを行う。このとき、表示機器２のシンクデバイス機能部２１側は、従来行っていたようなクロック・リカバリやシンボルロックの成功の通知は行わない。本発明のおいては、画像表示制御部１のソースデバイス機能部１１側が、毎フレーム、必ず送っていれば、表示機器２のシンクデバイス機能部２１側は、いずれ成功するであろう、という趣旨である。このように、本発明においては、少なくとも、リンクトレーニングにおいてＡＵＸチャネルＡＣを使用しない。従って、前述のように、ＡＵＸチャネルＡＣを介した他のやり取りが必要ないのであれば、ＡＵＸチャネルＡＣは不要となる。また、アンロックが生じた事実を伝えるためにホットプラグ検知ＨＰＤを使用することもない。なお、トレーニングパターンＴＰについては、画像信号のような同期をとる必要がないので、画像信号のアンロック状態でも、シンクデバイス機能部２１はトレーニングパターンＴＰを認識できる。
【００２９】
図２は、あるフレーム画像信号の伝送途中に、ノイズによりアンロックが生じた場合を説明するための図である。同図に示す通り、この場合、ノイズ混入時点でアンロック状態となり、表示機器２のシンクデバイス機能部２１は、その時点から画像データＩＤを受け取れない状態となる。しかしながら、シンクデバイス機能部２１は、逆にその時点からリンクトレーニングは可能な状態であるので、当該フレームに係るビデオ信号フォーマットＶＳＦ上の垂直同期信号ＶＳＹＮＣ期間に埋め込まれて送られてきたクロック・リカバリ用及びシンボルロック用のトレーニングパターンＴＰを利用して即座にリンクトレーニング処理を開始することができる。従って、早ければ、次のフレームの画像データが来る前にリンクトレーニングが完了してアンロック状態から復帰している可能性がある。その場合には、当該フレームに係る画像乱れのみで済む。また、悪くても、１〜２フレーム分の暗転で単独自律的に復帰する。
【００３０】
以上のように、本発明の画像データ伝送制御方法及び画像表示処理装置における一実施形態によれば、画像表示制御部１のソースデバイス機能部１１は、メインリンクＭＬを介して、画像信号ＩＤを伝送するに際して、毎フレーム、ビデオ信号フォーマットＶＳＦのブランキング期間ＢＫにトレーニングパターンＴＰを埋め込んで送信しているので、メインリンクのアンロックが発生しても、表示機器２のシンクデバイス機能部２１は、画像表示制御部１側にその事実を通知することなく、即座にリンクトレーニングを実行することができる。また、リンクトレーニング以外の、従来、ＡＵＸチャネルＡＣ及びホットプラグ検知ＨＰＤを介して行われていた処理を行う必要がないという条件の下では、ＡＵＸチャネルＡＣ及びホットプラグ検知ＨＰＤの信号線が不要となるという利点がある。
【産業上の利用可能性】
【００３１】
本発明の画像データ伝送制御方法及び画像表示処理装置は、例えば、パチンコ機等の遊技機に採用又は搭載できる。
【符号の説明】
【００３２】
１  画像表示制御部
１１  ソースデバイス機能部
２  表示機器
２１  シンクデバイス機能部
２２  表示デバイス
１００  ソースデバイス
２００  シンクデバイス
ＭＬ  メインリンク
ＡＣ  ＡＵＸチャネル
ＨＰＤ  ホットプラグ検出
ＴＰ  トレーニングパターン
ＢＫ  ブランキング期間
ＩＤ  画像データ
【図１】
2015195535.tif 000003
【図２】
2015195535.tif 000004
【図３】
2015195535.tif 000005
【図４】
2015195535.tif 000006
【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
ソースデバイスとシンクデバイスの間のDisplayPortインタフェース規格における、クロック・リカバリ用のトレーニングパターンとシンボルロック用のトレーニングパターンによるリンクトレーニングの方式を改良した方式を含む画像データ伝送制御方法であって、
前記ソースデバイスは、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込み、
前記シンクデバイスは、前記メインリンクのアンロック状態に陥ると、前記クロック・リカバリ用のトレーニングパターンとシンボルロック用のトレーニングパターンを取り入れて前記リンクトレーニングを行うことにより、前記クロック・リカバリ及びシンボルロックを順次再現して前記アンロック状態から復帰し、前記アンロック状態の間も送られていた前記フレームに含まれる前記画像データを復帰後継続的に取得することを特徴とする画像データ伝送制御方法。
【請求項２】
前記ソースデバイスは、前記クロック・リカバリ用のトレーニングパターンとシンボルロック用のトレーニングパターンを、前記ブランキング期間における垂直同期信号期間に埋め込むことを特徴とする請求項１に記載の画像データ伝送制御方法。
【請求項３】
前記シンクデバイスは、前記アンロック状態の発生並びに前記クロック・リカバリ及びシンボルロックの再現成功を、前記ソースデバイスに通知しないことを特徴とする請求項１に記載の画像データ伝送制御方法。
【請求項４】
前記ソースデバイスは、機能として画像表示制御部に含まれ、前記シンクデバイスは、機能として、表示デバイスを含む表示機器に含まれることを特徴とする請求項１乃至３のいずれかに記載の画像データ伝送制御方法。
【請求項５】
前記DisplayPortインタフェース規格は、embedded DisplayPortインタフェース規格であり、前記ソースデバイス及び前記シンクデバイスは、表示デバイスを備えた画像表示処理装置に含まれることを特徴とする請求項１乃至３のいずれかに記載の画像データ伝送制御方法。
【請求項６】
表示デバイスを含む表示機器と、
前記画像デバイスに表示するための画像のデータを構成し、前記表示機器との間で、クロック・リカバリ用のトレーニングパターンとシンボルロック用のトレーニングパターンによるリンクトレーニングを含むDisplayPortインタフェース規格を改良したインタフェース規格に基づいてやりとりをしつつ、前記画像の表示を制御する画像表示制御部と、
を備える画像表示処理装置であって、
前記画像表示制御部は、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込み、
前記表示機器は、前記メインリンクのアンロック状態に陥ると、前記クロック・リカバリ用のトレーニングパターンとシンボルロック用のトレーニングパターンを取り入れて前記リンクトレーニングを行うことにより、前記クロック・リカバリ及びシンボルロックを順次再現して前記アンロック状態から復帰し、前記アンロック状態の間も送られていた前記フレームに含まれる前記画像データを復帰後継続的に取得することを特徴とする画像表示処理装置。
【請求項７】
前記表示機器と前記画像表示制御部とは装置内部インタフェースで接続された内部機器であり、前記DisplayPortインタフェース規格は、embedded DisplayPortインタフェース規格であることを特徴とする請求項６に記載の画像表示処理装置。
【請求項８】
遊技機に搭載されることを特徴とする請求項７に記載の画像表示処理装置。
【請求項９】
前記遊技機はパチンコ機であることを特徴とする請求項８に記載の画像表示処理装置。
【手続補正２】
【補正対象書類名】明細書
【補正対象項目名】００１５
【補正方法】変更
【補正の内容】
【００１５】
上記目的を達成するため、本発明の画像データ伝送制御方法は、ソースデバイスとシンクデバイスの間のDisplayPortインタフェース規格における、クロック・リカバリ用のトレーニングパターンとシンボルロック用のトレーニングパターンによるリンクトレーニングの方式を改良した方式を含む画像データ伝送制御方法であって、前記ソースデバイスは、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込み、前記シンクデバイスは、前記メインリンクのアンロック状態に陥ると、前記クロック・リカバリ用のトレーニングパターンとシンボルロック用のトレーニングパターンを取り入れて前記リンクトレーニングを行うことにより、前記クロック・リカバリ及びシンボルロックを順次再現して前記アンロック状態から復帰し、復帰以降の前記フレームに含まれる前記画像データを継続的に取得することを要旨とする。
【手続補正３】
【補正対象書類名】明細書
【補正対象項目名】００１６
【補正方法】変更
【補正の内容】
【００１６】
特に、前記ソースデバイスは、前記クロック・リカバリ用のトレーニングパターンとシンボルロック用のトレーニングパターンを、前記ブランキング期間における垂直同期信号期間に埋め込むことが好適である。
【手続補正４】
【補正対象書類名】明細書
【補正対象項目名】００１７
【補正方法】変更
【補正の内容】
【００１７】
また、前記シンクデバイスは、前記アンロック状態の発生並びに前記クロック・リカバリ及びシンボルロックの再現成功を、前記ソースデバイスに通知しないことが特徴である。
【手続補正５】
【補正対象書類名】明細書
【補正対象項目名】００２０
【補正方法】変更
【補正の内容】
【００２０】
また、上記目的を達成するため、本発明の画像表示処理装置は、表示デバイスを含む表示機器と、前記画像デバイスに表示するための画像のデータを構成し、前記表示機器との間で、クロック・リカバリ用のトレーニングパターンとシンボルロック用のトレーニングパターンによるリンクトレーニングを含むDisplayPortインタフェース規格を改良したインタフェース規格に基づいてやりとりをしつつ、前記画像の表示を制御する画像表示制御部と、を備える画像表示処理装置であって、前記画像表示制御部は、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込み、前記表示機器は、前記メインリンクのアンロック状態に陥ると、前記クロック・リカバリ用のトレーニングパターンとシンボルロック用のトレーニングパターンを取り入れて前記リンクトレーニングを行うことにより、前記クロック・リカバリ及びシンボルロックを順次再現して前記アンロック状態から復帰し、復帰以降の前記フレームに含まれる前記画像データを継続的に取得することを要旨とする。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
ソースデバイスとシンクデバイスの間のDisplayPortインタフェース規格における、クロック・リカバリ用のトレーニングパターンとシンボルロック用のトレーニングパターンによるリンクトレーニングの方式を改良した方式を含む画像データ伝送制御方法であって、
前記ソースデバイスは、前記DisplayPortインタフェース規格に規定されるリンクトレーニングにおける、通常画像データ伝送中の前記トレーニングパターンの非送信に対比して、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込み、
前記シンクデバイスは、前記メインリンクのアンロック状態に陥ると、前記DisplayPortインタフェース規格に規定されるリンクトレーニングにおける、画像データ伝送停止後に単独で送信された前記トレーニングパターンを取り入れるのに対比して、前記ブランキング期間に埋め込まれた前記クロック・リカバリ用のトレーニングパターンとシンボルロック用のトレーニングパターンを取り入れて前記リンクトレーニングを行うことにより、前記クロック・リカバリ及びシンボルロックを順次再現して前記アンロック状態から復帰し、前記DisplayPortインタフェース規格に規定されるリンクトレーニングにおける、前記アンロック状態での前記画像データ伝送停止に対比して、前記アンロック状態の間も送られていた前記フレームに含まれる前記画像データを復帰後継続的に取得することを特徴とする画像データ伝送制御方法。
【請求項２】
前記ソースデバイスは、前記クロック・リカバリ用のトレーニングパターンとシンボルロック用のトレーニングパターンを、前記ブランキング期間における垂直同期信号期間に埋め込むことを特徴とする請求項１に記載の画像データ伝送制御方法。
【請求項３】
前記シンクデバイスは、前記アンロック状態の発生並びに前記クロック・リカバリ及びシンボルロックの再現成功を、前記DisplayPortインタフェース規格に規定されるリンクトレーニングにおいては通知するのに対比して、前記ソースデバイスに通知しないことを特徴とする請求項１に記載の画像データ伝送制御方法。
【請求項４】
前記ソースデバイスは、機能として画像表示制御部に含まれ、前記シンクデバイスは、機能として、表示デバイスを含む表示機器に含まれることを特徴とする請求項１乃至３のいずれかに記載の画像データ伝送制御方法。
【請求項５】
前記DisplayPortインタフェース規格は、embedded DisplayPortインタフェース規格であり、前記ソースデバイス及び前記シンクデバイスは、表示デバイスを備えた画像表示処理装置に含まれることを特徴とする請求項１乃至３のいずれかに記載の画像データ伝送制御方法。
【請求項６】
表示デバイスを含む表示機器と、
前記画像デバイスに表示するための画像のデータを構成し、前記表示機器との間で、クロック・リカバリ用のトレーニングパターンとシンボルロック用のトレーニングパターンによるリンクトレーニングを含むDisplayPortインタフェース規格を改良したインタフェース規格に基づいてやりとりをしつつ、前記画像の表示を制御する画像表示制御部と、
を備える画像表示処理装置であって、
前記画像表示制御部は、前記DisplayPortインタフェース規格に規定されるリンクトレーニングにおける、通常画像データ伝送中の前記トレーニングパターンの非送信に対比して、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込み、
前記表示機器は、前記改良に係る処理として、前記メインリンクのアンロック状態に陥ると、前記DisplayPortインタフェース規格に規定されるリンクトレーニングにおける、画像データ伝送停止後に単独で送信された前記トレーニングパターンを取り入れるのに対比して、前記ブランキング期間に埋め込まれた前記クロック・リカバリ用のトレーニングパターンとシンボルロック用のトレーニングパターンを取り入れて前記リンクトレーニングを行うことにより、前記クロック・リカバリ及びシンボルロックを順次再現して前記アンロック状態から復帰し、前記DisplayPortインタフェース規格に規定されるリンクトレーニングにおける、前記アンロック状態での前記画像データ伝送停止に対比して、前記アンロック状態の間も送られていた前記フレームに含まれる前記画像データを復帰後継続的に取得することを特徴とする画像表示処理装置。
【請求項７】
前記表示機器と前記画像表示制御部とは装置内部インタフェースで接続された内部機器であり、前記DisplayPortインタフェース規格は、embedded DisplayPortインタフェース規格であることを特徴とする請求項６に記載の画像表示処理装置。
【請求項８】
遊技機に搭載されることを特徴とする請求項７に記載の画像表示処理装置。
【請求項９】
前記遊技機はパチンコ機であることを特徴とする請求項８に記載の画像表示処理装置。
【手続補正２】
【補正対象書類名】明細書
【補正対象項目名】００１５
【補正方法】変更
【補正の内容】
【００１５】
上記目的を達成するため、本発明の画像データ伝送制御方法は、ソースデバイスとシンクデバイスの間のDisplayPortインタフェース規格における、クロック・リカバリ用のトレーニングパターンとシンボルロック用のトレーニングパターンによるリンクトレーニングの方式を改良した方式を含む画像データ伝送制御方法であって、前記ソースデバイスは、前記DisplayPortインタフェース規格に規定されるリンクトレーニングにおける、通常画像データ伝送中の前記トレーニングパターンの非送信に対比して、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込み、前記シンクデバイスは、前記メインリンクのアンロック状態に陥ると、前記DisplayPortインタフェース規格に規定されるリンクトレーニングにおける、画像データ伝送停止後に単独で送信された前記トレーニングパターンを取り入れるのに対比して、前記ブランキング期間に埋め込まれた前記クロック・リカバリ用のトレーニングパターンとシンボルロック用のトレーニングパターンを取り入れて前記リンクトレーニングを行うことにより、前記クロック・リカバリ及びシンボルロックを順次再現して前記アンロック状態から復帰し、前記DisplayPortインタフェース規格に規定されるリンクトレーニングにおける、前記アンロック状態での前記画像データ伝送停止に対比して、前記アンロック状態の間も送られていた前記フレームに含まれる前記画像データを復帰後継続的に取得することを要旨とする。
【手続補正３】
【補正対象書類名】明細書
【補正対象項目名】００１７
【補正方法】変更
【補正の内容】
【００１７】
また、前記シンクデバイスは、前記アンロック状態の発生並びに前記クロック・リカバリ及びシンボルロックの再現成功を、前記DisplayPortインタフェース規格に規定されるリンクトレーニングにおいては通知するのに対比して、前記ソースデバイスに通知しないことが特徴である。
【手続補正４】
【補正対象書類名】明細書
【補正対象項目名】００２０
【補正方法】変更
【補正の内容】
【００２０】
また、上記目的を達成するため、本発明の画像表示処理装置は、表示デバイスを含む表示機器と、前記画像デバイスに表示するための画像のデータを構成し、前記表示機器との間で、クロック・リカバリ用のトレーニングパターンとシンボルロック用のトレーニングパターンによるリンクトレーニングを含むDisplayPortインタフェース規格を改良したインタフェース規格に基づいてやりとりをしつつ、前記画像の表示を制御する画像表示制御部と、を備える画像表示処理装置であって、前記画像表示制御部は、前記DisplayPortインタフェース規格に規定されるリンクトレーニングにおける、通常画像データ伝送中の前記トレーニングパターンの非送信に対比して、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込み、前記表示機器は、前記改良に係る処理として、前記メインリンクのアンロック状態に陥ると、前記DisplayPortインタフェース規格に規定されるリンクトレーニングにおける、画像データ伝送停止後に単独で送信された前記トレーニングパターンを取り入れるのに対比して、前記ブランキング期間に埋め込まれた前記クロック・リカバリ用のトレーニングパターンとシンボルロック用のトレーニングパターンを取り入れて前記リンクトレーニングを行うことにより、前記クロック・リカバリ及びシンボルロックを順次再現して前記アンロック状態から復帰し、前記DisplayPortインタフェース規格に規定されるリンクトレーニングにおける、前記アンロック状態での前記画像データ伝送停止に対比して、前記アンロック状態の間も送られていた前記フレームに含まれる前記画像データを復帰後継続的に取得することを要旨とする。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
ソースデバイスと、そのソースデバイスとメインリンクにより接続されたシンクデバイスとの間における、クロック・リカバリ用のトレーニングパターンとシンボルロック用のトレーニングパターンによるリンクトレーニングの方式を含む画像データ伝送制御方法であって、
前記ソースデバイスは、DisplayPortインタフェース規格に規定されるリンクトレーニングにおける、通常画像データ伝送中の前記トレーニングパターンの非送信とは異なり、前記メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込んでおき、
前記メインリンクがアンロック状態に陥ると、
前記DisplayPortインタフェース規格に規定されるリンクトレーニングにおいて、前記シンクデバイスが前記アンロック状態の発生を前記ソースデバイスに通知し、その通知に応じて前記ソースデバイスが前記画像データの伝送を停止するのとは異なり、前記シンクデバイスは、前記アンロック状態の発生を前記ソースデバイスに通知せず、よって前記ソースデバイスは、前記画像データの伝送を停止せず、
前記DisplayPortインタフェース規格に規定されるリンクトレーニングにおいて、前記ソースデバイスが前記画像データの伝送を停止した後に前記メインリンクを介して送信した前記クロック・リカバリ用のトレーニングパターンとシンボルロック用のトレーニングパターンを取り入れて前記シンクデバイスが前記リンクトレーニングを行うのとは異なり、前記シンクデバイスは、前記アンロック状態を誘発したノイズに影響された最初のフレームの前記ブランキング期間に埋め込まれた前記クロック・リカバリ用のトレーニングパターンとシンボルロック用のトレーニングパターンを取り入れて前記シンクデバイスが前記リンクトレーニングを行い、
前記DisplayPortインタフェース規格に規定されるリンクトレーニングにおいて、前記クロック・リカバリ及びシンボルロックを順次再現して前記アンロック状態から復帰すると、前記シンクデバイスが、その成功を前記ソースデバイスに通知し、前記ソースデバイスは、その通知を受けて前記画像データの伝送を再開するのとは異なり、前記シンクデバイスは、前記成功を前記ソースデバイスに通知せず、前記成功の直後に受け取ったフレームから始まって、含まれる前記画像データを取得することを特徴とする画像データ伝送制御方法。
【請求項２】
前記ソースデバイスは、前記クロック・リカバリ用のトレーニングパターンとシンボルロック用のトレーニングパターンを、前記ブランキング期間における垂直同期信号期間に埋め込むことを特徴とする請求項１に記載の画像データ伝送制御方法。
【請求項３】
前記ソースデバイスは、機能として画像表示制御部に含まれ、前記シンクデバイスは、機能として、表示デバイスを含む表示機器に含まれることを特徴とする請求項１又は２に記載の画像データ伝送制御方法。
【請求項４】
前記DisplayPortインタフェース規格は、embedded DisplayPortインタフェース規格であり、前記ソースデバイス及び前記シンクデバイスは、表示デバイスを備えた画像表示処理装置に含まれることを特徴とする請求項１又は２に記載の画像データ伝送制御方法。
【請求項５】
表示デバイスを含む表示機器と、
前記表示デバイスに表示するための画像のデータを構成し、前記表示機器との間で、クロック・リカバリ用のトレーニングパターンとシンボルロック用のトレーニングパターンによるリンクトレーニングを含むインタフェース規格に基づいてやりとりをしつつ、前記画像の表示を制御する画像表示制御部と、
を備える画像表示処理装置であって、
前記画像表示制御部は、DisplayPortインタフェース規格に規定されるリンクトレーニングにおける、通常画像データ伝送中の前記トレーニングパターンの非送信とは異なり、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込んでおき、
前記メインリンクがアンロック状態に陥ると、
前記DisplayPortインタフェース規格に規定されるリンクトレーニングにおいて、前記表示機器が前記アンロック状態の発生を前記画像表示制御部に通知し、その通知に応じて前記画像表示制御部が前記画像データの伝送を停止するのとは異なり、前記表示機器は、前記アンロック状態の発生を前記画像表示制御部に通知せず、よって前記画像表示制御部は、前記画像データの伝送を停止せず、
前記DisplayPortインタフェース規格に規定されるリンクトレーニングにおいて、前記画像表示制御部が前記画像データの伝送を停止した後に前記メインリンクを介して送信した前記クロック・リカバリ用のトレーニングパターンとシンボルロック用のトレーニングパターンを取り入れて前記表示機器が前記リンクトレーニングを行うのとは異なり、前記表示機器は、前記アンロック状態を誘発したノイズに影響された最初のフレームの前記ブランキング期間に埋め込まれた前記クロック・リカバリ用のトレーニングパターンとシンボルロック用のトレーニングパターンを取り入れて前記表示機器が前記リンクトレーニングを行い、
前記DisplayPortインタフェース規格に規定されるリンクトレーニングにおいて、前記クロック・リカバリ及びシンボルロックを順次再現して前記アンロック状態から復帰すると、前記表示機器が、その成功を前記画像表示制御部に通知し、前記画像表示制御部は、その通知を受けて前記画像データの伝送を再開するのとは異なり、前記表示機器は、前記成功を前記画像表示制御部に通知せず、前記成功の直後に受け取ったフレームから始まって、含まれる前記画像データを取得することを特徴とする画像表示処理装置。
【請求項６】
前記表示機器と前記画像表示制御部とは装置内部インタフェースで接続された内部機器であり、前記DisplayPortインタフェース規格は、embedded DisplayPortインタフェース規格であることを特徴とする請求項５に記載の画像表示処理装置。
【請求項７】
遊技機に搭載されることを特徴とする請求項６に記載の画像表示処理装置。
【請求項８】
前記遊技機はパチンコ機であることを特徴とする請求項７に記載の画像表示処理装置。
【手続補正２】
【補正対象書類名】明細書
【補正対象項目名】００１５
【補正方法】変更
【補正の内容】
【００１５】
上記目的を達成するため、本発明の画像データ伝送制御方法は、ソースデバイスと、そのソースデバイスとメインリンクにより接続されたシンクデバイスとの間における、クロック・リカバリ用のトレーニングパターンとシンボルロック用のトレーニングパターンによるリンクトレーニングの方式を含む画像データ伝送制御方法であって、前記ソースデバイスは、DisplayPortインタフェース規格に規定されるリンクトレーニングにおける、通常画像データ伝送中の前記トレーニングパターンの非送信とは異なり、前記メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込んでおき、前記メインリンクがアンロック状態に陥ると、前記DisplayPortインタフェース規格に規定されるリンクトレーニングにおいて、前記シンクデバイスが前記アンロック状態の発生を前記ソースデバイスに通知し、その通知に応じて前記ソースデバイスが前記画像データの伝送を停止するのとは異なり、前記シンクデバイスは、前記アンロック状態の発生を前記ソースデバイスに通知せず、よって前記ソースデバイスは、前記画像データの伝送を停止せず、前記DisplayPortインタフェース規格に規定されるリンクトレーニングにおいて、前記ソースデバイスが前記画像データの伝送を停止した後に前記メインリンクを介して送信した前記クロック・リカバリ用のトレーニングパターンとシンボルロック用のトレーニングパターンを取り入れて前記シンクデバイスが前記リンクトレーニングを行うのとは異なり、前記シンクデバイスは、前記アンロック状態を誘発したノイズに影響された最初のフレームの前記ブランキング期間に埋め込まれた前記クロック・リカバリ用のトレーニングパターンとシンボルロック用のトレーニングパターンを取り入れて前記シンクデバイスが前記リンクトレーニングを行い、前記DisplayPortインタフェース規格に規定されるリンクトレーニングにおいて、前記クロック・リカバリ及びシンボルロックを順次再現して前記アンロック状態から復帰すると、前記シンクデバイスが、その成功を前記ソースデバイスに通知し、前記ソースデバイスは、その通知を受けて前記画像データの伝送を再開するのとは異なり、前記シンクデバイスは、前記成功を前記ソースデバイスに通知せず、前記成功の直後に受け取ったフレームから始まって、含まれる前記画像データを取得することを要旨とする。
【手続補正３】
【補正対象書類名】明細書
【補正対象項目名】００１７
【補正方法】削除
【補正の内容】
【手続補正４】
【補正対象書類名】明細書
【補正対象項目名】００２０
【補正方法】変更
【補正の内容】
【００２０】
また、上記目的を達成するため、本発明の画像表示処理装置は、表示デバイスを含む表示機器と、前記表示デバイスに表示するための画像のデータを構成し、前記表示機器との間で、クロック・リカバリ用のトレーニングパターンとシンボルロック用のトレーニングパターンによるリンクトレーニングを含むインタフェース規格に基づいてやりとりをしつつ、前記画像の表示を制御する画像表示制御部と、を備える画像表示処理装置であって、前記画像表示制御部は、DisplayPortインタフェース規格に規定されるリンクトレーニングにおける、通常画像データ伝送中の前記トレーニングパターンの非送信とは異なり、メインリンクを介して伝送する画像データの毎フレームごとに、前記画像データが含まれるビデオ信号フォーマット内のブランキング期間に前記クロック・リカバリ用のトレーニングパターンとシンボルロック用のトレーニングパターンを埋め込んでおき、前記メインリンクがアンロック状態に陥ると、前記DisplayPortインタフェース規格に規定されるリンクトレーニングにおいて、前記表示機器が前記アンロック状態の発生を前記画像表示制御部に通知し、その通知に応じて前記画像表示制御部が前記画像データの伝送を停止するのとは異なり、前記表示機器は、前記アンロック状態の発生を前記画像表示制御部に通知せず、よって前記画像表示制御部は、前記画像データの伝送を停止せず、前記DisplayPortインタフェース規格に規定されるリンクトレーニングにおいて、前記画像表示制御部が前記画像データの伝送を停止した後に前記メインリンクを介して送信した前記クロック・リカバリ用のトレーニングパターンとシンボルロック用のトレーニングパターンを取り入れて前記表示機器が前記リンクトレーニングを行うのとは異なり、前記表示機器は、前記アンロック状態を誘発したノイズに影響された最初のフレームの前記ブランキング期間に埋め込まれた前記クロック・リカバリ用のトレーニングパターンとシンボルロック用のトレーニングパターンを取り入れて前記表示機器が前記リンクトレーニングを行い、前記DisplayPortインタフェース規格に規定されるリンクトレーニングにおいて、前記クロック・リカバリ及びシンボルロックを順次再現して前記アンロック状態から復帰すると、前記表示機器が、その成功を前記画像表示制御部に通知し、前記画像表示制御部は、その通知を受けて前記画像データの伝送を再開するのとは異なり、前記表示機器は、前記成功を前記画像表示制御部に通知せず、前記成功の直後に受け取ったフレームから始まって、含まれる前記画像データを取得することを要旨とする。